(57)【要約】【課題】正確な出力データを提供可能な磁気ヘッドを生産する。【解決手段】磁化されたストリップ又はスレッドをスキャンするためのヘッドのコアは、縦方向に細長く互いに横方向に面する２つのハーフコア（１１、１２）を備える。各ハーフコアは、縦方向のギャップを形成するようにして、他方のハーフコアの前方端エッジ（１６，１５）から磁気的に分離し平行な前方端エッジ（１５，１６）を有する。各ハーフコアは、縦方向に互いに並んだ複数のモジュラーハーフコア要素（２０）を備える。各モジュラー要素（２０）は、２つのハーフコアの内の一つの前方端エッジ部分を形成する前方部（２３）を有する。２つのハーフコアの一つ（１１，１２）に属するモジュラー要素の前方部は、２つのハーフコアの他方（１２，１１）に属するモジュラー要素の前方部に関して縦方向に互い違いに配置される。【選択図】図８
2006127742.tif 000002
【特許請求の範囲】
【請求項１】
縦方向に細長く互いに横方向に対向し逆向きの略Ｃ字形の断面を有する２つのハーフコア（１１，１２）を備えた、開いたリング形状の磁性材料のコアを有し、上記ハーフコアのそれぞれは、他方のハーフコア（１２，１１）の後方端エッジ（１４，１３）と接触可能な後方端エッジ（１３，１４）と、ヘッドの感知部を構成する縦方向のギャップを形成するように磁気的に非伝導性材料の層（１７）によって他方のハーフコアの前方端エッジ（１６，１５）から磁気的に分離され平行な前方端エッジ（１５，１６）とを有する、磁化されたストリップ又はスレッドをスキャンするための磁気ヘッドにおいて、
それぞれの上記ハーフコア（１１，１２）は、縦方向に互いに並びかつ上記２つのハーフコアの一方における上記前方端エッジ（１５，１６）のそれぞれの部分を形成可能な前方部（２３）を有する複数のモジュラーハーフコア要素（２０）を備え、
上記２つのハーフコアの一方（１１，１２）に属する上記モジュラーハーフコア要素（２０）の上記前方部（２３）は、上記２つのハーフコアの他方（１２，１１）に属するモジュラーハーフコア要素（２０）の前方部（２３）に関して縦方向に互い違いに配置される、
ことを特徴とする磁気ヘッド。
【請求項２】
それぞれのモジュラーハーフコア要素（２０）は、さらに、対向するハーフコアの一部を形成する対向のモジュラー要素（２０）の後方端エッジ（１４，１３）に接触可能な後方端エッジ（１３，１４）を有し横方向に延在する後方部（２１）を形成し、
上記前方部（２３）は、上記後方部（２１）に関して一方側から縦方向に突出する部分（２４）を有し、その結果、組立状態において、
各モジュラーハーフコア要素（２０）の上記後方端エッジ（１３）は、ほぼ横方向に配列され対向するハーフコアに属するモジュラーハーフコア要素（２０）の後方端エッジ（１４）に接触し、
各モジュラーハーフコア要素（２０）の突出部（２４）は、対向するハーフコアに属するモジュラーハーフコア要素（２０）の突出部（２４）に関して縦方向にて反対側に突出し、上記２つのハーフコアの一方に属するモジュラーハーフコア要素（２０）の前方部（２３）は、上記２つのハーフコアの他方に属するモジュラーハーフコア要素（２０）の前方部（２３）に関して縦方向に互い違いに配置される、
請求項１に係る磁気ヘッド。
【請求項３】
上記モジュラーハーフコア要素（２０）の上記前方部（２３）は、他方のハーフコア（１２）のモジュラーハーフコア要素（２０）の前方部に関してほぼ半分のピッチにて縦方向に互い違いに配置される、請求項１又は２に係る磁気ヘッド。
【請求項４】
各モジュラーハーフコア要素（２０）は、ほぼＣ字形の断面を有し、１枚の強磁性の金属から切断され折り曲げて得られる、請求項１、２又は３のいずれかの一つに係る磁気ヘッド。
【請求項５】
縦方向若しくは横方向に突出する部分（２４）を有する前方部（２３）は、後方部（２１）を中心に通り抜ける横断面に関して非対称である、請求項１から４のいずれか一つに係る磁気ヘッド。
【請求項６】
各モジュラーハーフコア要素（２０）は、上記モジュラーハーフコア要素（２０）を通る磁束に関連可能な電線のコイル（１８，１９）が巻かれた少なくとも一つのほぼ管状の部分（２６）を形成する電気的に絶縁された支持部材（２５）に部分的に収容される、請求項１から５のいずれか一つに係る磁気ヘッド。
【請求項７】
各モジュラーハーフコア要素（２０）は、それぞれ電気的に絶縁された支持部材（２５）に部分的に収容され、当該支持部材は、縦方向において反対側に隣接し同じハーフコア（１１又は１２）に属するモジュラーハーフコア要素（２０）を支持可能である２つの同様の支持部材（２５）に当該支持部材（２５）を機械的に結合する第１横方向接続手段（２８）を形成した、請求項６に係る磁気ヘッド。
【請求項８】
各モジュラーハーフコア要素（２０）は、それぞれ電気的に絶縁された支持部材（２５）に部分的に収容され、当該支持部材は、対向するハーフコアに属するモジュラーハーフコア要素（２０）を支持し横方向に隣接する同様の支持部材（２５）に当該支持部材（２５）を機械的に結合する第２前部接続手段（３０、３１）を形成した、請求項６又は７に係る磁気ヘッド。
【請求項９】
請求項１から５のいずれかに係るモジュラーハーフコア要素（２０）。
【請求項１０】
請求項１から５のいずれかに係るモジュラーハーフコア要素（２０）を支持する請求項６から８のいずれかに係る電気的に絶縁された支持部材（２５）。
【発明の詳細な説明】
【技術分野】
【０００１】
本発明は、請求項１の前文の中で定義されたタイプの磁気ヘッドに関する。磁気ヘッドは、磁性材料のストリップ、特に（しかし排他的でなく）銀行券内に組み込まれたセキュリティ・スレッドに格納されたコードをスキャンすることを意図している。
【背景技術】
【０００２】
銀行券では、セキュリティ・スレッドは、銀行券の大きい方の辺に垂直に、銀行券の小さい方の辺に平行に配置され、銀行券の全幅に延在する。既知のタイプの磁気セキュリティ・スレッドは、可撓性で不浸透性のプラスチック材料で製造可能であり、例えば酸化鉄のような磁性材料のいくつかの領域が付着された支持ストリップから構成される。セキュリティ・スレッド上にコード（それは銀行券のサイズ又は価値を明白に同定する）を格納するために、異なった量の磁性材料が、厚さ、密度、又は占有領域の範囲を変えて、上記スレッドの様々なゾーンに塗布される。
【０００３】
銀行券の正真性を確認するための最近の装置は、磁気セキュリティ・スレッドに実質的に垂直な方向に銀行券を供給するための供給手段と、セキュリティ・スレッドに格納されたコードをスキャンするため、ヘッドの感知部を構成する「ギャップ」を備えた走査ヘッドとを一般的に備えている。
【０００４】
既知のタイプの磁気ヘッドは、磁性材料のコアを備え、該コアは、強磁性の金属板であり、縦方向に細長くほぼ逆Ｃ字形の断面を有する２つの構造部にて構成された一対のハーフコアを有する開いたリング形状であり、上記２つのコア間に磁気連続性を有するために後方の終端が物理的に接している磁性材料のコアである。一方、前方の終端は、磁気的に非伝導材料（例えば銅）の薄いシートを挿入することにより、間隔を置かれる。その結果、２つのハーフコアは、共に、ヘッドの感知部を構成する縦方向のギャップにより、その前方部分において磁気的に開かれたリングを構成する。それぞれのハーフコア上は、電気的に絶縁された材料のカバーでモールドされ、コイルが巻かれ、それらのヘッドは、底に配置されたそれぞれのピンに接続される。コアと巻線によって構成された全体部分は、パーマロイで作られていたスクリーニング・コンテナ内の合成樹脂に埋没している。その結果、ギャップを有するヘッドの前方の表面だけが遮蔽物から出ている。知られているように、ギャップに垂直に移動する磁気セキュリティ・スレッドの通路は、磁気誘導によりコイルに、ピンで利用可能になる電圧を発生する。
【発明の開示】
【発明が解決しようとする課題】
【０００５】
従来、磁気ヘッドは、ヘッドのコアに相当する長さを有する二つのハーフコアを組み立てることにより構成されている。このことは、ハーフコアのシートを剪断し曲げるための異なる打ち抜き型と、ハーフコアをそれぞれの巻線から電気的に絶縁可能とするプラスチック材料の層をオーバーモールディングするための異なる金型とをその都度提供する必要があることから、かなりの出資を要する。その問題は、銀行券の正真性を確認するための装置の分野で特に深刻である。上記分野では、異なるサイズの銀行券内でセキュリティ・スレッドが占める様々な位置によって規定される範囲のために、その都度、異なるヘッドを構成することが必要である。
【０００６】
又、位置調整され横方向に向かい合わされた別のモジュラー要素の対とともに、縦方向並んで配置することによりハーフコアを生産することが提案されている。特に銀行券がヘッドの縦方向に関して傾いた位置にてスキャニング装置を通って進むならば、この解決策は、並んで配置された２対のモジュラー要素の間の切れ目部分をセキュリティ・スレッドが通過したとき、ピンにより出力に供給される電気的信号が弱い、若しくは不完全であるという事実により不利であることを証明している。この欠点を改善するために、スキャニング装置にやや複雑なエレクトロニクス、即ち、銀行券を同定することができるデータを得るために、様々なピンによって供給される部分的な信号を相関させかつ処理することができるエレクトロニクスを提供することが必要である。
【０００７】
本発明の目的は、上述した欠点を改善可能な磁気ヘッドを生産することである。特に、単純で経済的な方法で、いずれの長さの磁気ヘッドにおいても正確な出力データを提供可能な磁気ヘッドを生産することが要求される。
【課題を解決するための手段】
【０００８】
より明確に以下に理解されるであろう、これらの及び他の目的及び利点は、添付の請求項にて定義される磁気ヘッドによる発明に従い達成される。
【発明を実施するための最良の形態】
【０００９】
本発明の好ましい実施形態、しかしながらこれに限定するものではない実施形態の説明は、添付の図を参照して以下に行われる。
最初に図１を参照して、磁気ヘッド１０のコアは、右の１１及び左の１２で、それらは、ここでは縦方向として定義された方向に細長く、互いに横方向に対向する一対のハーフコアを備える。
【００１０】
本明細書及び請求項において、位置及びオリエンテーションを示す用語及び表現は、ヘッドの縦方向を基準とするように意図されている。したがって、「前方側」の表現は、ヘッドの感知部の方へ面する側を示す。
【００１１】
２つのハーフコアは、断面にて対向したほぼＣ字形であり、接触するそれぞれの後方エッジ１３、１４と、磁気的に非伝導材料の薄い帯状片１７によって分離されたそれぞれの前方エッジ１５、１６とを有する。参照符号１８、１９は、各ハーフコアに巻かれ、かつ後述するようにプラスチック材の部材により電気的に絶縁されたコイルを示す。
【００１２】
図１に示されるヘッドの概略的な配置は、全体として知られていると見なされる。従って、当該明細書の記述を続けるに当たり、本発明の実施のため特に関連し及び興味あるそれらの要素部分のみを、詳細に記載する。詳細に示されていない部分及び要素の製造については、既知のタイプの磁気ヘッドの解決策が言及されてもよい。
【００１３】
本発明によれば、各ハーフコアは、縦方向に互いに並んでいる複数のモジュラーハーフコア要素２０を備える。図２に示すように、各モジュラー要素２０は、断面でほぼＣ字形を有し、さらに、横方向に延在する後方部２１であって、対向するハーフコア部を構成する、対向する同一のモジュラー要素２０の自由端エッジ１４に接触する自由端エッジ１３を有する後方部２１と、後方部２１にほぼ垂直な中間部２２と、中間部２２の一側面から縦方向に突出する部分２４を有する前方部２３とを有する。
【００１４】
よって前方部２３は、後方部２１及び中間部２２の中心を通る横方向面に関して非対称である（図３）。
【００１５】
図４は、組み立てられて、ヘッドにおけるモジュラー要素２０によって形成される配置を図式で示す。モジュラー要素２０の形状により、互いに異なるハーフコアに属する、それらの要素のうちの２つ、２０ａ、２０ｂが後方エッジ１３，１４を互いに接触して横方向に配列するようにして対向されたとき、２つの要素の内の一つ（２０ａ）の突出部２４は、他方の要素２０ｂの突出部２４に関して縦方向にて反対へ突出する。言い換えれば、ハーフコア１１のモジュラー要素の前方部２３は、他方のハーフコア１２のモジュラー要素の前方部２３に関して、好ましくは半分のピッチによって、縦方向に互い違いに配置される。横に並んで取り付けられた各対のモジュラー要素２０ａ、２０ｂは、ヘッドのコアの開いたリング部分を構成する。
【００１６】
図７Ａ及び図７Ｂに示されるように、各モジュラー要素２０は、モジュラー要素２０の中間部２２及び／又は後方部２１をその内側に含む管状部分２６（示された例における長方形断面の）を形成するプラスチック材料の支持部材２５に挿入され部分的に収容される。支持部材２５の内の一つは、図５Ａ及び図５Ｂに別々に示されている。円筒状の管状部分２６には、ヘッド（図６Ａ、図６Ｂ、及び図７Ａ、図７Ｂ）の後方部分から突出する接続ピン２７に電気的に接続されるヘッド部分にコイル１８（あるいは１９）が巻かれる。
【００１７】
図面に示された好ましい実施形態では、各支持部材２５は、モジュラータイプであり、かつ、縦方向において反対側に隣接し同じハーフコアに属するモジュラーハーフコア要素２０を支持可能である２つの同様の支持部材に機械的に結合するための小さなくぼみ及び突起の形状にて横方向の接続手段及び座部２８を有し、さらに、他方のハーフコアに属するモジュラー要素２０を支持する横方向に隣接する支持部材と機械的に連結するための小さなくぼみ及び突起の形状にて前部接続手段及び座部３０，３１を有する。各支持部材２５の前方部は、水平面部３２の底面から突出する小さな突起（不図示）が係合する座部又はくぼみ２８を露出させるように、支持部材の本体に関して縦方向に互い違いに配置された水平面部３２を形成する。支持部材２５は、さらに、他方のハーフコアの横方向に対向する支持部材に機械的に接続するための突起３０及びくぼみ３１を形成する前方の垂直な板部分２９を有している。好ましくは、管状部分２６は、横方向の面に傾斜して設けられ、コイルを含むために二つの外部フランジ２６ａを有している。
【００１８】
本発明に係るヘッドの組み立て方法は、以下の通りである。支持部材２５の円筒の管状部分２６にコイルが巻かれた後、ヘッドの中心線に面すると意図して、支持部材の面に形成された開口３４を通して要素２０を通過させて、モジュラー要素２０は、支持部材内に挿入される。中間部２２と後方部２１との間の、かどのある連結部は、支持部材の管状部分２６の内部に留まる。図１に示すように、モジュラー要素の自由端エッジ１３は、ヘッドの中心線側へ支持部材の管状部分から横方向に突出する。モジュラー要素２０の前方部２３は、支持部材の開口３４における横の寸法よりも大きな横寸法を有するので、モジュラー要素は、組み立ての中間段階（図７Ａ）において、支持部材に安定した方法で懸架され維持される。
【００１９】
同じ操作は、複数のモジュラー要素２０を、コイル１８（あるいは１９）を設けたそれぞれの支持部材２５に挿入して行なわれる。その後、幾らかの支持部材２５は、横方向の接続手段／座部２８によって機械的に連結され、製造されるべきヘッドに適した長さの第１のハーフコアグループを得る。前述の操作は、第１のものと同じ長さの第２のハーフコアグループを形成するために繰り返される。その後、２つのハーフコアグループは、それらの間に磁気的に非伝導材料の薄い帯状片１７を挟んで互いに横方向に連結される。帯状片１７は、くぼみ３１へ突起３０を挿入させるための一連の小さな開口３５を有するのが有利である。その後、図８に示すように、帯状片１７を介在させた状態で２つのハーフコアグループにより形成されたアッセンブリは、従来型のスクリーニング・コンテナ３６内に置かれ、そして、この分野の専門家に知られるように、部分的に、ボンディング樹脂内に浸漬され、一つのブロックを得て、その後、コアとギャップの対極を出現させて、ラインＬに沿ってカットされる。その後、ピン２７は、ヘッド上を横に滑る磁化されたストリップ又はスレッドの通過によりコイルに生成された電気的信号を受信し処理する電気又は電子装置に接続される。
【００２０】
認識可能なように、本発明は、本明細書の冒頭部分で概説した問題を解決する、所望のいずれの長さにてなる磁気ヘッドをモジュラー形式にて製造することを可能にする。
【００２１】
モジュラー要素２０（図４）の構成により、いかなる横のラインＴも、横方向に並んだ一対のモジュラー要素の要素部分の少なくとも一つ（２０ａ又は２０ｂ）の前方部の向かい合った横のエッジ間で含まれねばならないような方法で、ヘッドと交差する。各モジュラー要素は、同じハーフコアにおいて、縦方向に隣接して２つのモジュラー要素に磁気的に連結される。したがって、例えば銀行券のセキュリティ・スレッドのような細長い磁化された材料（不図示）で、いずれかの横のラインＴ１〜Ｔ４に沿ってヘッド上を横方向に通過するものは、常に、２つのハーフコアのグループのうちの１つの少なくとも１つのモジュラー要素の前方部と明らかに交差する。
【００２２】
この点について、どんな特定の理論にも縛られるのは望まないが、出願人によって行なわれたテストは、上に記載したようなモジュラー要素の互い違いの配置により、その長さのどの時点でもヘッドと交差する、磁化されたストリップ又はスレッドに起因する磁束により励起したコイルのピンにおいて、きれいな電気的信号が常に得られることを示す。特に、図４のラインＴ３、Ｔ４によって図式で示されるように、２つの隣接したモジュラー要素のエッジにおける不連続ポイントを、スレッドが通過するときでさえ、スキャンされた電気的信号が容易に得られる。
【００２３】
ここに記載され図示された実施形態は磁気ヘッドの例示的な実施態様と見なされるもので、本発明は、上記実施形態に限定されるものではない。当業者にとって明らかであるように、本発明は、部品の形状及び配置に関する修正、及び構造上の、機能上の細部に関する修正が可能である。
【図面の簡単な説明】
【００２４】
【図１】図１は、本発明に係る磁気ヘッドの断面図である。
【図２】図２は、図１に示すヘッドのコアを生成するためのモジュラー要素の、異なる角度から見た斜視図である。
【図３】図３は、図１に示すヘッドのコアを生成するためのモジュラー要素の、異なる角度から見た斜視図である。
【図４】図４は、図１に示す矢視ＩＶにおける図であり、組み立てられた状態におけるヘッドの図２及び図３に示すモジュラー要素が配置された概略図である。
【図５Ａ】図５Ａは、図２及び図３のモジュラー要素の支持部材の、異なる角度から見た及び拡大した斜視図である。
【図５Ｂ】図５Ｂは、図２及び図３のモジュラー要素の支持部材の、異なる角度から見た及び拡大した斜視図である。
【図６Ａ】図６Ａは、図５Ａ及び図５Ｂに示す支持部材にコイルが巻かれた状態の、異なる角度から見た及び拡大した斜視図である。
【図６Ｂ】図６Ｂは、図５Ａ及び図５Ｂに示す支持部材にコイルが巻かれた状態の、異なる角度から見た及び拡大した斜視図である。
【図７Ａ】図７Ａは、図５Ａ及び図５Ｂに示す支持部材にコイルが巻かれモジュラー要素が挿入された状態の、異なる角度から見た及び拡大した斜視図である。
【図７Ｂ】図７Ｂは、図５Ａ及び図５Ｂに示す支持部材にコイルが巻かれモジュラー要素が挿入された状態の、異なる角度から見た及び拡大した斜視図である。
【図８】図８は、部分的に組み立てられた状態の本発明に係るヘッドの斜視図である。
【図１】
2006127742.tif 000003
【図２】
2006127742.tif 000004
【図３】
2006127742.tif 000005
【図４】
2006127742.tif 000006
【図５Ａ】
2006127742.tif 000007
【図５Ｂ】
2006127742.tif 000008
【図６Ａ】
2006127742.tif 000009
【図６Ｂ】
2006127742.tif 000010
【図７Ａ】
2006127742.tif 000011
【図７Ｂ】
2006127742.tif 000012
【図８】
2006127742.tif 000013
【外国語明細書】
2006127742.tif 000014
2006127742.tif 000015
2006127742.tif 000016
2006127742.tif 000017
2006127742.tif 000018
2006127742.tif 000019
2006127742.tif 000020
2006127742.tif 000021
2006127742.tif 000022
2006127742.tif 000023
2006127742.tif 000024
2006127742.tif 000025
2006127742.tif 000026
2006127742.tif 000027
2006127742.tif 000028
2006127742.tif 000029
2006127742.tif 000030
2006127742.tif 000031
2006127742.tif 000032